(57)【要約】      （修正有）【課題】印画停止時間が長くても良好な画質が得られる、吐出安定性に優れたインク組成物を提供する。また、このインクジェット用インク組成物を用いることで、メンテナンスの頻度を少なくし、印画時間をさらに短縮することが可能な、インクジェット記録方法、インクカートリッジ、記録ユニット及びインクジェット記録装置を提供する。【解決手段】着色剤と、水と１，５−ペンタンジオールを少なくとも含む水性媒体と、保湿剤及び浸透促進剤を少なくとも含む水溶性添加剤と、を含有させ、１，５−ペンタンジオールの含有量を、全体に対して５質量％以上３０質量％以下とし、保湿剤及び浸透促進剤の含有量を、それぞれ、全体に対して３質量％以下としたインクジェット用インク組成物１。【選択図】図４
2012126830.tif 000002
【特許請求の範囲】
【請求項１】
着色剤と、
水と１，５−ペンタンジオールを少なくとも含む水性媒体と、
保湿剤及び浸透促進剤を少なくとも含む水溶性添加剤と、
を含有し、
前記１，５−ペンタンジオールの含有量は、全体に対して５質量％以上３０質量％以下であり、
前記保湿剤及び前記浸透促進剤の含有量は、それぞれ、全体に対して３質量％以下である、インクジェット用インク組成物。
【請求項２】
前記着色剤として、下記一般式（Ｉ）で表されるアゾ化合物を含有する、請求項１に記載のインクジェット用インク組成物。
【化１】
2012126830.tif 000037
（前記一般式（Ｉ）中、ａは、ハメットのσｐ値が０．２０以上１．００未満の電子吸引性基である。また、ｂ及びｄは、それぞれ独立に、１つのスルホ基を有するフェニル基であり、該フェニル基の水素原子はさらに置換されていてもよい。また、ｃ及びｅは、それぞれ独立に、１つのスルホ基を有するベンゾチアゾール環基からなり、該ベンゾチアゾール環基の水素原子はさらに置換されていてもよい。）
【請求項３】
前記アゾ化合物が、下記一般式（ＩＩ）で表される化合物である、請求項２に記載のインクジェット用インク組成物。
【化２】
2012126830.tif 000038
（前記一般式（ＩＶ）中、Ｒ１、Ｒ２、Ｒ３及びＲ４は、それぞれ独立に、アルキル基であり、該アルキル基の水素原子は更に置換されていてもよい。また、Ｍは、それぞれ独立に、水素原子、アルカリ金属、アンモニウム又は有機アンモニウムである。）
【請求項４】
前記着色剤として、前記アゾ化合物に加えて、さらに下記一般式（ＩＩＩ）で表されるアントラピリドン化合物を含有する、請求項２に記載のインクジェット用インク組成物。
【化３】
2012126830.tif 000039
（前記一般式（ＩＩＩ）中、Ｒ１は、炭素数１から６のアルコキシ基又は３−スルホフェニル基であり、Ｒ２は、水素原子又はメチル基である。Ｒ３は、水素原子又はメチル基であり、該メチル基の水素原子はさらに置換されていてもよいが、イミノ橋（−ＮＨ−）で架橋された置換基を選択することはできない。また、Ｍは、それぞれ独立に、水素原子、アルカリ金属、アンモニウム又は有機アンモニウムである。）
【請求項５】
前記アントラピリドン化合物が、下記一般式（ＩＶ）で表される化合物である、請求項４に記載のインクジェット用インク組成物。
【化４】
2012126830.tif 000040
（前記一般式（Ｖ）中、Ｍは、それぞれ独立に、水素原子、アルカリ金属、アンモニウム又は有機アンモニウムである。）
【請求項６】
前記着色剤として、下記一般式（Ｖ）で表される銅フタロシアニン化合物を含有する、請求項１に記載のインクジェット用インク組成物。
【化５】
2012126830.tif 000041
（前記一般式（Ｖ）中、Ａ，Ｂ、Ｃ、及びＤは、それぞれ独立に、芳香性を有する６員環であり、Ｍはそれぞれ独立に、水素原子、アルカリ金属、アンモニウム、又は有機アンモニウムであり、Ｅはアルキレン基である。また、Ｘは、アニリノ基であり、該アニリノ基はスルホ置換、カルボキシル置換、又はホスホノ置換されていてもよい。該置換アニリノ基はさらに、スルホン酸基、カルボキシル基、ホスホノ基、スルファモイル基、カルバモイル基、水酸基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる少なくとも一つの置換基を１〜４個有していてもよい。また、Ｙは、水酸基又はアミノ基であり、ｌ、ｍ、及びｎは、０≦ｌ≦２、０≦ｍ≦３、０．１≦ｎ≦３であり、かつ１≦ｌ＋ｍ＋ｎ≦４である。）
【請求項７】
前記１，５−ペンタンジオールの含有量と前記保湿剤の含有量との合計が、全体に対して１質量％以上３０質量％以下であり、
前記浸透促進剤の含有量が、全体に対して０．１質量％以上３質量％以下である、請求項１に記載のインクジェット用インク組成物。
【請求項８】
前記水性媒体が、前記１，５−ペンタンジオールに加えて、水溶性有機溶剤を含んでおり、
当該水溶性有機溶剤が、炭素数１〜４のアルキルアルコール類、アミド類、ケトン類、ケトアルコール類、エーテル類、ポリアルキレングリコール類、アルキレン基が２〜６個の炭素原子を含むアルキレングリコール類、低級アルキルエーテルアセテート、グリセリン、多価アルコールの低級アルキルエーテル類、多価アルコール、Ｎ−メチル−２−ピロリドン、２−ピロリドン、及び１，３−ジメチル−２−イミダゾリジノンからなる群より選択される１種または２種以上の溶剤である、請求項１に記載のインクジェット用インク組成物。
【請求項９】
前記浸透促進剤が、エーテル系ノニオン性界面活性剤、エステル系ノニオン性界面活性剤、及びアセチレングリコール系ノニオン性界面活性剤からなる群より選択される１種又は２種以上のノニオン系界面活性剤である、請求項１に記載のインクジェット用インク組成物。
【請求項１０】
着色剤と、水と１，５−ペンタンジオールを少なくとも含む水性媒体と、保湿剤及び／又は浸透促進剤を少なくとも含む水溶性添加剤と、を含有し、前記１，５−ペンタンジオールの含有量は、全体に対して５質量％以上３０質量％以下であり、前記保湿剤及び前記浸透促進剤の含有量は、それぞれ、全体に対して３質量％以下である、インクジェット用インク組成物の液滴をインクジェット方式で吐出して記録を行う、インクジェット記録方法。
【請求項１１】
着色剤と、水と１，５−ペンタンジオールを少なくとも含む水性媒体と、保湿剤及び／又は浸透促進剤を少なくとも含む水溶性添加剤と、を含有し、前記１，５−ペンタンジオールの含有量は、全体に対して５質量％以上３０質量％以下であり、前記保湿剤及び前記浸透促進剤の含有量は、それぞれ、全体に対して３質量％以下である、インクジェット用インク組成物を収容するインク収容部を備える、インクカートリッジ。
【請求項１２】
着色剤と、水と１，５−ペンタンジオールを少なくとも含む水性媒体と、保湿剤及び／又は浸透促進剤を少なくとも含む水溶性添加剤と、を含有し、前記１，５−ペンタンジオールの含有量は、全体に対して５質量％以上３０質量％以下であり、前記保湿剤及び前記浸透促進剤の含有量は、それぞれ、全体に対して３質量％以下である、インクジェット用インク組成物を収容するインク収容部を有する、インクカートリッジと、
前記インク収容部に収容されたインク組成物の液滴を吐出するための記録ヘッドと、
を備える、記録ユニット。
【請求項１３】
着色剤と、水と１，５−ペンタンジオールを少なくとも含む水性媒体と、保湿剤及び／又は浸透促進剤を少なくとも含む水溶性添加剤と、を含有し、前記１，５−ペンタンジオールの含有量は、全体に対して５質量％以上３０質量％以下であり、前記保湿剤及び前記浸透促進剤の含有量は、それぞれ、全体に対して３質量％以下である、インクジェット用インク組成物を収容するインク収容部を有する、インクカートリッジと、
前記インク収容部に収容されたインク組成物の液滴を吐出するための記録ヘッドと、
を備える、インクジェット記録装置。
【発明の詳細な説明】
【技術分野】
【０００１】
本発明は、インクジェット用インク組成物、インクジェット記録方法、インクカートリッジ、記録ユニット及びインクジェット記録装置に関する。
【背景技術】
【０００２】
インクジェット記録方式は、インク小滴を形成し、それらの一部若しくは全部を紙等の被記録材に付着させて記録を行うもので、デジタルカメラの急速な普及に伴い、銀塩写真に替わる画像の出力方法として期待されている。このため、インクジェット記録方式に用いられるインク組成物（以下、「インクジェット用インク組成物」と記載する。）には、一般に、速乾性があること（インクの被記録媒体への吸収速度が大きいこと）、印画部の耐水性、耐光性、耐オゾン性が良好であること、インクドットの径が適正で均一であること（にじみが無いこと）、粒状性が良好であること、インクドットの真円性が高いこと、色濃度が高いこと、彩度が高いこと、などが要求される。
【０００３】
また、インクジェット記録方式では、通常、長期間ヘッドを放置した状態からの回復を可能とするメンテナンスが行われるが、印画の高速化の観点からは、このメンテナンスに要する時間を短縮することが重要である。そのため、インクジェット用インク組成物には、メンテナンスの頻度を少なくする省メンテナンス性も求められる。特に、高速印画を行うためには、メンテナンス方法の１つである空吐出と呼ばれる回復処理の回数を減らすことが重要となる。
【０００４】
空吐出とは、吐出ヘッドから被記録媒体への画像印画に寄与しないインク滴を吐出させ、インク滴の吐出状況を良好にする回復処理のことである。この空吐出は、ノズルにキャップしない状態で印画を停止している数秒から十数秒という時間にノズル近傍のインク組成物の粘度が上昇することにより、インク滴の吐出速度が遅くなり、吐出方向がばらつく場合に有効であるが、空吐出に要する時間分が余計に必要となる。これに対して、印画停止時間が長くても良好な画質が得られる、間欠吐出安定性（以下、単に「吐出安定性」と記載する。）に優れたインク組成物を用いることで、空吐出の回数を減らし、印画時間を短縮することができるものと考えられる。
【０００５】
このような事情に対して、インク吐出ノズルの近傍でインクが固化または増粘してしまうことを防ぐために、グリセリンと他の保湿剤とを混合することで、インクの乾燥を抑制して吐出安定性を確保する技術が提案されている（例えば、特許文献１〜４を参照）。
【先行技術文献】
【特許文献】
【０００６】
【特許文献１】特開２０００−２６５０９２号公報
【特許文献２】特開２００３−３２７８７１号公報
【特許文献３】特願２００３−２９６７０１号公報
【特許文献４】特開２００７−０３９６８０号公報
【発明の概要】
【発明が解決しようとする課題】
【０００７】
しかしながら、上記特許文献１〜４に記載された技術では、インク組成物の用途が顔料用途に特化されているか、または、インク組成物中の保湿剤の組み合わせが最適化されていない。従って、上記の技術を採用しただけでは、インク滴の吐出を停止してから、インクが固化または増粘せずに、空吐出等の回復処理を行うことなく、再びインクを吐出することが可能な時間（数秒から十数秒）が十分ではなかった。そのため、インク滴の吐出をある程度の時間（例えば、数秒から十数秒）停止した場合には、印画中に、インク吐出ノズルの回復処理（空吐出等）を度々実施する必要があり、印画の高速化の観点からは未だ改善の余地があった。
【０００８】
そこで、本発明は、上記現状に鑑みてなされたものであり、本発明の目的とするところは、印画停止時間が長くても良好な画質が得られる、吐出安定性に優れたインク組成物を提供することにある。また、本発明の目的は、上記インクジェット用インク組成物を用いることで、メンテナンスの頻度を少なくし、印画時間をさらに短縮することが可能な、インクジェット記録方法、インクカートリッジ、記録ユニット及びインクジェット記録装置を提供することにある。
【課題を解決するための手段】
【０００９】
上記課題を解決するために、本発明のある観点によれば、着色剤と、水と１，５−ペンタンジオールを少なくとも含む水性媒体と、保湿剤及び浸透促進剤を少なくとも含む水溶性添加剤と、を含有し、前記１，５−ペンタンジオールの含有量は、全体に対して５質量％以上３０質量％以下であり、前記保湿剤及び前記浸透促進剤の含有量は、それぞれ、全体に対して３質量％以下である、インクジェット用インク組成物が提供される。
【００１０】
前記インクジェット用インク組成物は、前記着色剤として、下記一般式（Ｉ）で表されるアゾ化合物を含有してもよい。
【００１１】
【化１】
2012126830.tif 000003
【００１２】
前記一般式（Ｉ）中、ａは、ハメットのσｐ値が０．２０以上１．００未満の電子吸引性基である。また、ｂ及びｄは、それぞれ独立に、１つのスルホ基を有するフェニル基であり、該フェニル基の水素原子はさらに置換されていてもよい。また、ｃ及びｅは、それぞれ独立に、１つのスルホ基を有するベンゾチアゾール環基からなり、該ベンゾチアゾール環基の水素原子はさらに置換されていてもよい。
【００１３】
前記インクジェット用インク組成物において、前記アゾ化合物が、下記一般式（ＩＩ）で表される化合物であることが好ましい。
【００１４】
【化２】
2012126830.tif 000004
【００１５】
前記一般式（ＩＶ）中、Ｒ１、Ｒ２、Ｒ３及びＲ４は、それぞれ独立に、アルキル基であり、該アルキル基の水素原子は更に置換されていてもよい。また、Ｍは、それぞれ独立に、水素原子、アルカリ金属、アンモニウム又は有機アンモニウムである。
【００１６】
前記インクジェット用インク組成物は、前記着色剤として、前記アゾ化合物に加えて、さらに下記一般式（ＩＩＩ）で表されるアントラピリドン化合物を含有してもよい。
【００１７】
【化３】
2012126830.tif 000005
【００１８】
前記一般式（ＩＩＩ）中、Ｒ１は、炭素数１から６のアルコキシ基又は３−スルホフェニル基であり、Ｒ２は、水素原子又はメチル基である。Ｒ３は、水素原子又はメチル基であり、該メチル基の水素原子はさらに置換されていてもよいが、イミノ橋（−ＮＨ−）で架橋された置換基を選択することはできない。また、Ｍは、それぞれ独立に、水素原子、アルカリ金属、アンモニウム又は有機アンモニウムである。
【００１９】
前記インクジェット用インク組成物において、前記アントラピリドン化合物が、下記一般式（ＩＶ）で表される化合物であることが好ましい。
【００２０】
【化４】
2012126830.tif 000006
【００２１】
前記一般式（Ｖ）中、Ｍは、それぞれ独立に、水素原子、アルカリ金属、アンモニウム又は有機アンモニウムである。
【００２２】
前記インクジェット用インク組成物は、前記着色剤として、下記一般式（Ｖ）で表される銅フタロシアニン化合物を含有してもよい。
【００２３】
【化５】
2012126830.tif 000007
【００２４】
前記一般式（Ｖ）中、Ａ，Ｂ、Ｃ、及びＤは、それぞれ独立に、芳香性を有する６員環であり、Ｍはそれぞれ独立に、水素原子、アルカリ金属、アンモニウム、又は有機アンモニウムであり、Ｅはアルキレン基である。また、Ｘは、アニリノ基であり、該アニリノ基はスルホ置換、カルボキシル置換、又はホスホノ置換されていてもよい。該置換アニリノ基はさらに、スルホン酸基、カルボキシル基、ホスホノ基、スルファモイル基、カルバモイル基、水酸基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる少なくとも一つの置換基を１〜４個有していてもよい。また、Ｙは、水酸基又はアミノ基であり、ｌ、ｍ、及びｎは、０≦ｌ≦２、０≦ｍ≦３、０．１≦ｎ≦３であり、かつ１≦ｌ＋ｍ＋ｎ≦４である。
【００２５】
前記インクジェット用インク組成物において、前記１，５−ペンタンジオールの含有量と前記保湿剤の含有量との合計が、全体に対して１質量％以上３０質量％以下であり、前記浸透促進剤の含有量が、全体に対して０．１質量％以上３質量％以下であることが好ましい。
【００２６】
前記インクジェット用インク組成物において、前記水性媒体が、前記１，５−ペンタンジオールに加えて、水溶性有機溶剤を含んでおり、当該水溶性有機溶剤が、炭素数１〜４のアルキルアルコール類、アミド類、ケトン類、ケトアルコール類、エーテル類、ポリアルキレングリコール類、アルキレン基が２〜６個の炭素原子を含むアルキレングリコール類、低級アルキルエーテルアセテート、グリセリン、多価アルコールの低級アルキルエーテル類、多価アルコール、Ｎ−メチル−２−ピロリドン、２−ピロリドン、及び１，３−ジメチル−２−イミダゾリジノンからなる群より選択される１種または２種以上の溶剤であってもよい。
【００２７】
前記インクジェット用インク組成物において、前記浸透促進剤が、エーテル系ノニオン性界面活性剤、エステル系ノニオン性界面活性剤、及びアセチレングリコール系ノニオン性界面活性剤からなる群より選択される１種又は２種以上のノニオン系界面活性剤であることが好ましい。
【００２８】
また、上記課題を解決するために、本発明の別の観点によれば、着色剤と、水と１，５−ペンタンジオールを少なくとも含む水性媒体と、保湿剤及び／又は浸透促進剤を少なくとも含む水溶性添加剤と、を含有し、前記１，５−ペンタンジオールの含有量は、全体に対して５質量％以上３０質量％以下であり、前記保湿剤及び前記浸透促進剤の含有量は、それぞれ、全体に対して３質量％以下である、インクジェット用インク組成物の液滴をインクジェット方式で吐出して記録を行う、インクジェット記録方法が提供される。
【００２９】
また、上記課題を解決するために、本発明のさらに別の観点によれば、着色剤と、水と１，５−ペンタンジオールを少なくとも含む水性媒体と、保湿剤及び／又は浸透促進剤を少なくとも含む水溶性添加剤と、を含有し、前記１，５−ペンタンジオールの含有量は、全体に対して５質量％以上３０質量％以下であり、前記保湿剤及び前記浸透促進剤の含有量は、それぞれ、全体に対して３質量％以下である、インクジェット用インク組成物を収容するインク収容部を備える、インクカートリッジが提供される。
【００３０】
また、上記課題を解決するために、本発明のさらに別の観点によれば、着色剤と、水と１，５−ペンタンジオールを少なくとも含む水性媒体と、保湿剤及び／又は浸透促進剤を少なくとも含む水溶性添加剤と、を含有し、前記１，５−ペンタンジオールの含有量は、全体に対して５質量％以上３０質量％以下であり、前記保湿剤及び前記浸透促進剤の含有量は、それぞれ、全体に対して３質量％以下である、インクジェット用インク組成物を収容するインク収容部を有する、インクカートリッジと、前記インク収容部に収容されたインク組成物の液滴を吐出するための記録ヘッドと、を備える、記録ユニットが提供される。
【００３１】
また、上記課題を解決するために、本発明のさらに別の観点によれば、着色剤と、水と１，５−ペンタンジオールを少なくとも含む水性媒体と、保湿剤及び／又は浸透促進剤を少なくとも含む水溶性添加剤と、を含有し、前記１，５−ペンタンジオールの含有量は、全体に対して５質量％以上３０質量％以下であり、前記保湿剤及び前記浸透促進剤の含有量は、それぞれ、全体に対して３質量％以下である、インクジェット用インク組成物を収容するインク収容部を有する、インクカートリッジと、前記インク収容部に収容されたインク組成物の液滴を吐出するための記録ヘッドと、を備える、インクジェット記録装置が提供される。
【発明の効果】
【００３２】
本発明によれば、印画停止時間が長くても良好な画質が得られる、吐出安定性に優れたインク組成物を提供することができる。また、本発明によれば、上記インクジェット用インク組成物を用いることで、メンテナンスの頻度を少なくし、印画時間をさらに短縮することが可能な、インクジェット記録方法、インクカートリッジ、記録ユニット及びインクジェット記録装置を提供することができる。
【図面の簡単な説明】
【００３３】
【図１】本発明の好適な実施形態に係るインクジェット記録装置の全体構成の一例を示す分解斜視図である。
【図２】図１のインクジェット記録装置１００に設けられたヘッドカートリッジの構成を示す分解斜視図である。
【図３】図２に示したヘッドカートリッジをＩＩＩ−ＩＩＩ線で切断した断面図である。
【図４】図３に示したヘッドカートリッジに設けられた記録ヘッドの構成を示す断面図であり、（ａ）は、発熱体上に気泡が発生した状態を模式的に示したものであり、（ｂ）は、ノズルからインク滴が吐出される状態を模式的に示したものである。
【発明を実施するための形態】
【００３４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３５】
なお、説明は以下の順序で行うものとする。
１．本発明の好適な実施形態に係るインクジェット用インク組成物
２．本発明の好適な実施形態に係るインクジェット記録方法
３．本発明の好適な実施形態に係るインクカートリッジ
４．本発明の好適な実施形態に係る記録ユニット
５．本発明の好適な実施形態に係るインクジェット記録装置
６．まとめ
【００３６】
＜１．  本発明の好適な実施形態に係るインクジェット用インク組成物＞
本発明の主な特徴は、インクジェット用のインク組成物中に、着色剤と、１，５−ペンタンジオールを少なくとも含む水性媒体と、保湿剤及び／又は浸透促進剤を少なくとも含む水溶性添加剤とを含有させ、且つ、１，５−ペンタンジオール、保湿剤及び浸透促進剤の含有量を所定の範囲内とすることにある。以下、本発明の好適な実施形態に係るインクジェット用インク組成物（以下、単に「インク組成物」と呼ぶこともある。）を構成する成分や、当該インク組成物の物性等について詳細に述べる。
【００３７】
［１．１．  着色剤］
本実施形態に係る着色剤の種類は、特に限定されるものではないが、着色剤として、以下に例示する化合物を使用することで、着色剤の溶媒（水性媒体）への溶解性が高まるので、インク組成物の安定性を向上させることができる。また、特に断らない限り、インクとして好ましい色調を有する範囲で、本実施形態の着色剤として、以下に例示する化合物と組み合わせて、他の着色剤として使用可能な化合物を含有していてもよい。
【００３８】
（１．１．１．  アゾ化合物）
本実施形態に係るインク組成物は、着色剤として、下記一般式（Ｉ）で表されるアゾ化合物を含有することができる。このアゾ化合物を着色剤として使用したインク組成物を用いて記録すると、記録された画像の堅牢性を向上させることができる。ここでいう堅牢性とは、光やオゾンなどのガスによる退色を防ぐ性質をいい、例えば、耐光性や耐オゾン性の性質を意味する。なお、このアゾ化合物を含有するインク組成物は、マゼンタインクとして利用される。
【００３９】
【化６】
2012126830.tif 000008
【００４０】
上記一般式（Ｉ）中、堅牢性向上等の観点から、ａは、ハメットの置換基定数σｐ値（以下、「ハメットのσｐ値」と称する。）が０．２０以上１．００未満の電子吸引性基であり、さらに、ハメットのσｐ値が０．６０以上１．００未満であることが好ましい。
【００４１】
ここで、ハメット則及びハメットのσｐ値について若干説明する。ハメット則は、ベンゼン誘導体の反応又は平衡に及ぼす置換基の影響を定量的に論ずるために、１９３５年にＬ．Ｐ．Ｈａｍｍｅｔｔにより提唱された経験則であるが、この法則は、今日広く妥当性が認められている。ハメット則で定められた置換基定数にはσｐ値とσｍ値があり、これらの値は多くの一般的な成書に見出すことができ、例えば、Ｊ．Ａ．Ｄｅａｎ編、「Ｌａｎｇｅ’ｓ
Ｈａｎｄｂｏｏｋ ｏｆ Ｃｈｅｍｉｓｔｒｙ」第１２版、１９７９年（Ｍｃ Ｇｒａｗ−Ｈｉｌｌ）や「化学の領域」増刊、１２２号、９６〜１０３頁、１９７９年（南光堂）や丸善の化学便覧基礎編（改訂５版）等に詳しい。なお、本実施形態において各置換基をハメットの置換基定数σｐにより限定したり説明したりするが、これは、本実施形態における置換基が、上記の成書で見出せる文献既知の値がある置換基にのみ限定されるという意味ではなく、置換基定数の値が文献未知であっても、ハメット則に基づいて測定した場合にその範囲内に包含されるであろう置換基をも含むことは言うまでもない。
【００４２】
ハメットのσｐ値が０．６０以上の電子吸引性基としては、例えば、シアノ基（−ＣＮ）、ニトロ基（−ＮＯ２）、アルキルスルホニル基（ＲＳＯ２−）等が該当する。本実施形態においては、上記一般式（Ｉ）中のａとして、特にシアノ基を選択することが好ましい。また、ハメットのσｐ値が０．２０以上０．６０未満の電子吸引性基としては、例えば、クロロ基（−Ｃｌ）、エチルエステル基（ＣＯ２Ｅｔ）、カルボキシル基（−ＣＯＯＨ）、アセチル基（−ＣＯＣＨ３）等が該当する。
【００４３】
一般式（Ｉ）中、ｂ及びｄは、それぞれ独立に、下記一般式（ａ）で表される１つのスルホ基を有するフェニル基であり、該フェニル基の水素原子はさらに置換されていてもよい。
【００４４】
【化７】
2012126830.tif 000009
【００４５】
Ｍは、それぞれ独立に、水素原子、アルカリ金属、アンモニウム又は有機アンモニウム（例えば、第１級〜第４級アンモニウム等といったアンモニウムの水素原子がアルキル基、アリール基等の有機基で置換されたものであり、以下同様である。）である。
【００４６】
また、一般式（Ｉ）中、ｃ及びｅは、それぞれ独立に、下記一般式（ｂ）で表される１つのスルホ基を有するベンゾチアゾール環基からなり、該ベンゾチアゾール環基の水素原子はさらに置換されていてもよい。
【００４７】
【化８】
2012126830.tif 000010
【００４８】
Ｍは、それぞれ独立に、水素原子、アルカリ金属、アンモニウム又は有機アンモニウムである。
【００４９】
本実施形態におけるアゾ化合物としては、一般式（Ｉ）で表される化合物の中でも、特に、下記一般式（ＩＩ）で表される化合物を用いることが好ましい。
【００５０】
【化９】
2012126830.tif 000011
【００５１】
上記一般式（ＩＩ）中、Ｒ１、Ｒ２、Ｒ３及びＲ４は、それぞれ独立に、アルキル基であり、該アルキル基の水素原子は更に置換されていてもよい。Ｒ１、Ｒ２、Ｒ３及びＲ４の位置に、大きなアルキル基が置換されると、立体障害が大きくなり、一般式（ＩＩ）の化合物の収率や安定性の低下を招くため、Ｒ１、Ｒ２、Ｒ３及びＲ４に選択されるアルキル基としては、アルキル鎖の短いメチル基及びエチル基が特に好ましい。また、Ｍは、それぞれ独立に、水素原子、アルカリ金属、アンモニウム又は有機アンモニウムである。
【００５２】
また、上記一般式（Ｉ）で表される化合物の好ましい具体例としては、下記の例示化合物１〜４が挙げられる。勿論、本実施形態におけるアゾ化合物は、上記一般式（Ｉ）に包含される化合物であればよく、下記の例示化合物１〜４に限られるものではない。ただし、画像堅牢性や発色性に優れ、水への溶解度が高いなどのマゼンタ染料としての基本特性に優れていることから、本実施形態におけるアゾ化合物として、下記の例示化合物の中でも、特に、例示化合物１を用いることが好ましい。
【００５３】
【化１０】
2012126830.tif 000012
【００５４】
【化１１】
2012126830.tif 000013
【００５５】
【化１２】
2012126830.tif 000014
【００５６】
【化１３】
2012126830.tif 000015
【００５７】
（１．１．２．  アントラピリドン化合物）
本実施形態に係るインク組成物は、着色剤として、上述した下記一般式（Ｉ）で表されるアゾ化合物に加えて、さらに下記一般式（ＩＩＩ）で表されるアントラピリドン化合物を含有することができる。このアントラピリドン化合物を一般式（Ｉ）で表されるアゾ化合物とともに着色剤として使用したインク組成物を用いて記録すると、堅牢性が向上するとともに色再現範囲が拡張され、色バランスが整うようになる。なお、このアントラピリドン化合物を含有するインク組成物は、マゼンタインクとして利用される。
【００５８】
【化１４】
2012126830.tif 000016
【００５９】
上記一般式（ＩＩＩ）中、Ｒ１は、炭素数１から６のアルコキシ基又は３−スルホフェニル基であり、Ｒ２は、水素原子又はメチル基である。Ｒ３は、水素原子又はメチル基であり、該メチル基の水素原子はさらに置換されていてもよいが、イミノ橋（−ＮＨ−）で架橋された置換基を選択することはできない。また、Ｍは、それぞれ独立に、水素原子、アルカリ金属、アンモニウム又は有機アンモニウムである。
【００６０】
また、本実施形態におけるアントラピリドン化合物としては、一般式（ＩＩＩ）で表される化合物の中でも、特に、一般式（ＩＶ）の化合物を用いることが好ましい。
【００６１】
【化１５】
2012126830.tif 000017
【００６２】
上記一般式（ＩＶ）中、Ｍは、それぞれ独立に、水素原子、アルカリ金属、アンモニウム又は有機アンモニウムである。
【００６３】
上記一般式（ＩＩＩ）で表される化合物の好ましい具体例としては、下記の例示化合物５〜８が挙げられる。勿論、本実施形態におけるアントラピリドン化合物は、上記一般式（ＩＩＩ）に包含される化合物であればよく、下記の例示化合物５〜８に限られるものではない。ただし、画像堅牢性や発色性に優れていることから、本実施形態におけるアントラピリドン化合物として、下記の例示化合物の中でも、特に、例示化合物５を用いることが好ましい。
【００６４】
【化１６】
2012126830.tif 000018
【００６５】
【化１７】
2012126830.tif 000019
【００６６】
【化１８】
2012126830.tif 000020
【００６７】
【化１９】
2012126830.tif 000021
【００６８】
（１．１．３．  銅フタロシアニン化合物）
本実施形態に係るインク組成物は、着色剤として、下記一般式（Ｖ）で表される銅フタロシアニン化合物を含有することができる。この銅フタロシアニン化合物を着色剤として使用したインク組成物を用いて記録すると、記録された画像の堅牢性を向上させることができる。なお、この銅フタロシアニン化合物を含有するインク組成物は、シアンインクとして利用される。
【００６９】
【化２０】
2012126830.tif 000022
【００７０】
上記一般式（Ｖ）中、Ａ，Ｂ、Ｃ、及びＤは、それぞれ独立に、芳香性を有する６員環であり、Ｍはそれぞれ独立に、水素原子、アルカリ金属、アンモニウム、又は有機アンモニウムであり、Ｅはアルキレン基である。また、Ｘは、アニリノ基であり、該アニリノ基はスルホ置換、カルボキシル置換、又はホスホノ置換されていてもよい。該置換アニリノ基はさらに、スルホン酸基、カルボキシル基、ホスホノ基、スルファモイル基、カルバモイル基、水酸基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる少なくとも一つの置換基を１〜４個有していてもよい。また、Ｙは、水酸基又はアミノ基であり、ｌ、ｍ、及びｎは、０≦ｌ≦２、０≦ｍ≦３、０．１≦ｎ≦３であり、かつ１≦ｌ＋ｍ＋ｎ≦４である。
【００７１】
ここで、銅フタロシアニン化合物は、一般的に、上記一般式（Ｖ）において、置換基の位置及び数が異なるものの混合物として得られる。本実施形態に係る銅フタロシアニン化合物としては、上記一般式（Ｖ）で表される着色剤の群から選択したものを単独で、または、２種類以上を混合して用いることができる。
【００７２】
上記一般式（Ｖ）で表される化合物の具体例としては、Ｃ．Ｉ．ダイレクトブルー８６、Ｃ．Ｉ．ダイレクトブルー８７、Ｃ．Ｉ．ダイレクトブルー１９９などが挙げられる。
【００７３】
（１．１．４．着色剤の含有量）
〔マゼンタ系着色剤〕
本実施形態に係るインク組成物において、着色剤として一般式（Ｉ）で表されるアゾ化合物、または、このアゾ化合物と一般式（ＩＩＩ）で表されるアントラピリドン化合物を用いる場合には、アゾ化合物の含有量またはアゾ化合物とアントラピリドン化合物の合計の含有量（以下、「マゼンタ系着色剤の含有量」と記載する。）が、インク組成物の全質量を基準として、１質量％以上５質量％以下であることが好ましい。
【００７４】
マゼンタ系着色剤の含有量が１質量％未満であると、印画物の濃度を十分に得ることができない場合がある。また、マゼンタ系着色剤の含有量が５質量％を超えると、インク組成物の吐出安定性が低下する場合がある。さらに、マゼンタ系着色剤の量を上記範囲とすることで、本実施形態に係るインクジェット用インク組成物を、熱エネルギーの作用によりインクを吐出するサーマルインクジェット記録方式に適用しても、記録ヘッドのヒータ（発熱体）の耐久性に優れたインクとなることがわかった。
【００７５】
〔シアン系着色剤〕
本実施形態に係るインク組成物において、着色剤として一般式（Ｖ）で表される銅フタロシアニン化合物の含有量（以下、「シアン系着色剤の含有量」とも記載する。）が、インク粗生物の全質量を基準として、１質量％以上１０質量％以下であることが好ましい。シアン系着色剤の含有量が１質量％未満であると、印画物の濃度を十分に得ることができない場合がある。また、シアン系着色剤の含有量が１０質量％を超えると、インク組成物の吐出安定性が低下する場合がある。インク組成物の吐出安定性を向上させるという観点からは、シアン系着色剤の含有量を６質量％以下とすることがより好ましい。
【００７６】
（１．１．５．  着色剤の同定方法）
一般式（Ｉ）、（ＩＩ）及び（Ｖ）等の化合物（着色剤）に関しては、例えば、高速液体クロマトグラフィー（ＨＰＬＣ）、フーリエ変換赤外分光分析装置（ＦＴ−ＩＲ）、核磁気共鳴（ＮＭＲ）法に加え、高速原子衝撃質量分析装置（ＦＡＢＭＳ）、熱分解ガスクロマトグラフィー質量分析法（ＰｙＧＣ／ＭＳ）、液体クロマトグラフィー質量分析法（ＬＣ／ＭＳ）などの質量分析で同定を行うことができる。
【００７７】
［１．２．  水性媒体］
本実施形態に係るインク組成物は、水性媒体（溶媒）として、水と、１，５−ペンタンジオールとを少なくとも含む混合溶媒を含有する。
【００７８】
水としては、脱イオン水（イオン交換水）を用いることが好ましい。インク組成物中の水の含有量（質量％）は、インク組成物の全質量を基準として、６０質量％以上９０質量％以下であることが好ましく、７０質量％以上９０質量％以下であることがより好ましい。水の含有量が上記の範囲より少ないと、インク組成物をインクジェット記録装置に用いる場合に、吐出安定性などの信頼性が得られない場合がある。
【００７９】
（１．２．１．  １，５−ペンタンジオール）
本実施形態に係るインク組成物においては、水と混合する水溶性有機溶剤として、１，５−ペンタンジオールを使用する。本実施形態に係るインク組成物において、１，５−ペンタンジオールを有機溶剤として使用することにより、着色剤の溶解性を向上させることができる。特に、上述した一般式（Ｖ）で表される銅フタロシアニン化合物を使用した場合には、溶解性向上の効果が特に顕著となる。
【００８０】
この１，５−ペンタンジオールの含有量は、インク組成物の全質量を基準として、５質量％以上３０質量％以下である。含有量が５質量％未満では、着色剤の溶解性が十分でなく、含有量が３０質量％を超えると、インク組成物の粘度が高くなり過ぎるため、吐出特性が低下する。なお、吐出特性が低下すると、インクの吐出が不安定になったり、インクがノズルに詰まり易くなったりする。本実施形態に係るインク組成物の吐出特性を良くするという観点からは、１，５−ペンタンジオールの含有量が、１５質量％以下であることが好ましい。
【００８１】
（１．２．２．  使用可能な他の水溶性有機溶剤）
また、本実施形態に係るインク組成物においては、水溶性有機溶剤として、１，５−ペンタンジオールに加えて、他の有機溶剤を用いることができる。本実施形態で使用可能な１，５−ペンタンジオール以外の有機溶剤としては、水溶性であれば特に制限はなく、アルコール、多価アルコール、ポリグリコール、グリコールエーテル及びその他の極性溶媒を用いることができる。このような水溶性有機溶剤の具体例としては、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコールなどの炭素数１〜４のアルキルアルコール類や、ジメチルホルムアミド、ジメチルアセトアミドなどのアミド類や、アセトン、ジアセトンアルコールなどのケトン又はケトアルコール類や、テトラヒドロフラン、ジオキサンなどのエーテル類や、ポリエチレングリコール、ポリプロピレングリコールなどのポリアルキレングリコール類や、エチレングリコール、プロピレングリコール、ブチレングリコール、ジエチレングリコール、トリエチレングリコール、ヘキシレングリコール、チオジグリコールなどのグリコール類や、１，６−ヘキサンジオール、２−メチル−１，３−プロパンジオール、３−メチル−１，５−ペンタンジオール、１，２，６−ヘキサントリオ−ルなどのアルキレン基が２〜６個の炭素原子を持つアルキレングリコール類や、ビス（２−ヒドロキシエチル）スルホンや、ポリエチレングリコールモノメチルエーテルアセテートなどの低級アルキルエーテルアセテートや、エチレングリコールモノメチル（又はエチル）エーテル、ジエチレングリコールメチル（又はエチル）エーテル、トリエチレングリコールモノメチル（又はエチル）エーテルなどの多価アルコールのアルキルエーテル類や、Ｎ−メチル−２−ピロリドン、２−ピロリドン、１，３−ジメチル−２−イミダゾリジノンなどが挙げられる。上記に挙げた水溶性有機溶剤は、必要に応じて１種又は２種以上を混合して用いることができる。勿論、本実施形態における水溶性有機溶剤は、上記の具体例に限られるものではない。
【００８２】
また、インク組成物中の上記水溶性有機溶剤の含有量（質量％）は、インク組成物の全質量を基準として、５質量％以上３０質量％以下であることが好ましく、１０質量％以上３０質量％以下であることがさらに好ましい。水溶性有機溶剤の含有量が上記の範囲から外れると、インク組成物をインクジェット記録装置に用いる場合に、吐出安定性などの信頼性が得られない場合がある。
【００８３】
さらに、本実施形態に係るインク組成物においては、アルキレン基が５〜７個の炭素原子を持つ１，２−アルキレングリコールとして、１，２−ペンタンジオール、１，２−ヘキサンジオール、及び１，２−オクタンジオールからなる群から選択される少なくとも１種類以上のジオール類を、インク組成物の全質量を基準として、１質量％以上４質量％未満さらに含んでも良い。
【００８４】
（１．２．３．  水溶性添加剤）
また、本実施形態に係るインク組成物においては、水溶性添加剤として、保湿剤を及び浸透促進剤を少なくとも含有する。
【００８５】
〔保湿剤〕
本実施形態に係るインク組成物は、該インク組成物をインクジェット記録方法に用いた場合に、水分の蒸発を抑制してインクを保湿する目的で、保湿剤を含有する。特に、本実施形態に係るインク組成物は、１，５−ペンタンジオールを含有しているが、この１，５−ペンタンジオールは揮発性が高く、乾燥に弱い。そのため、１，５−ペンタンジオールを含有するインク組成物は、吐出安定性が低い欠点があるが、保湿剤を所定量含有させることにより、この欠点を補うことができる。
【００８６】
本実施形態に係る保湿剤としては、蒸気圧が純水よりも小さい水溶性有機溶剤及び糖類から選ばれる少なくとも１種類以上を使用することができる。このような保湿剤としては、例えば、トリメチロールプロパン、キシリトール、マンニトール、尿素などが挙げられる。このなかでも、吐出安定性や湿気応答性（乾燥したインク組成物に湿気を与えてから再びインクを吐出可能になるまでの応答性）に優れるという観点から、トリメチロールプロパン、キシリトールを使用することが好ましく、トリメチロールプロパンを使用することが特に好ましい。なお、保湿剤として水溶性有機溶剤を用いると、吐出安定性を向上させたり、インク特性を変化させることなくインク組成物の粘度を容易に変更させたりすることができる。
【００８７】
本実施形態において、保湿剤の含有量は、インク組成物の全質量を基準として、３質量％以下である。保湿剤の効果を発揮するためには、保湿剤の含有量が多い方が良いが、保湿剤の含有量が３質量％を超えると、インク組成物の粘度が高くなり過ぎるため、インクの吐出が不安定になったり、インクがノズルに詰まり易くなったりするなど、吐出特性が低下する。そのため、本実施形態においてが、保湿剤の含有量を、インク組成物の全質量を基準として、３質量％以下とした。また、保湿剤の効果を十分に発揮させるためには、保湿剤の含有量が０．１質量％以上であることが好ましく、１質量％以上であることがさらに好ましい。
【００８８】
さらに、本実施形態に係るインク組成物では、１，５−ペンタンジオールの含有量と保湿剤の含有量との合計が、インク組成物の全質量を基準として、１質量％以上３０質量％以下であることが好ましい。上記合計量が１質量％未満であると、ラインヘッドプリンタを使用すると、その特性上、乾燥により吐出不良となる恐れがある。一方、上記含有量が３０質量％を超えると、インク組成物の粘度が高くなり過ぎるため、インクの吐出が不安定になったり、インクがノズルに詰まり易くなったりするなど、吐出特性が低下する恐れがある。
【００８９】
〔浸透促進剤〕
本実施形態に係るインク組成物は、被記録媒体へのインク組成物の浸透速度を制御し、カラーブリード性を向上させ、高品位な画像を得るという目的で、浸透促進剤を含有する。本実施形態に係る浸透促進剤としては、アニオン性界面活性剤、カチオン性界面活性剤、ノニオン性界面活性剤、及び両性界面活性剤のいずれの界面活性剤も用いることができる。より具体的には、下記に挙げる具体例のものを単独で、または、２種以上を混合して使用することができる。
【００９０】
アニオン性界面活性剤の具体例としては、アルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテルリン酸塩、ロジン酸石鹸、ヒマシ油硫酸エステル塩、ラウリルアルコール硫酸エステル塩、アルキルフェノール型リン酸エステル、アルキル型リン酸エステル、アルキルアリルスルホン塩酸、ジエチルスルホコハク酸塩及びジエチルヘキシルスルホコハク酸ジオクチルスルホコハク酸塩などが挙げられる。
【００９１】
カチオン性界面活性剤の具体例としては、２−ビニルピリジン誘導体、ポリ４−ビニルピリジン誘導体などが挙げられる。
【００９２】
ノニオン性界面活性剤の具体例としては、ポリオキシエチレンノニルフェニルエーテル、ポリオキシエチレンオクチルフェニルエーテル、ポリオキシエチレンドデシルフェニルエーテル、ポリオキシエチレンラウリルエーテル、ポリオキシエチレンオレイルエーテル、ポリオキシエチレンアルキルエーテル及びポリオキシアリルキルアルキルエーテル等のエーテル系ノニオン性界面活性剤や、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート及びポリオキシエチレンステアレート等のエステル系ノニオン性界面活性剤、２，４，７，９−テトラメチル−５−デシン−４，７−ジオール、３，６−ジメチル−４−オクチン−３，６−ジオール及び３，５−ジメチル−１−ヘキシン−３−オール等のアセチレングリコール系ノニオン性界面活性剤などが挙げられる。
【００９３】
両性界面活性剤の具体例としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン及びその他イミダゾリン誘導体などが挙げられる。
【００９４】
ただし、インク組成物の浸透速度の制御という目的の実現のためには、本実施形態に係る浸透促進剤として、上述したようなノニオン性界面活性剤を使用することが好ましく、その中でも、アセチレングリコール系ノニオン性界面活性剤を使用することが特に好ましい。アセチレングリコール系ノニオン性界面活性剤としては、例えば、エアープロダクツ社のサーフィノール４６５、サーフィノール４８５、サーフィノール１０４、サーフィノール８２、日信化学工業製のオルフィンＥ１０１０、川研ファインケミカル製のアセチレノールＥ１００等の市販されている製品を使用することができる。勿論、本実施形態における浸透促進剤は、上記製品に限られるものではない。
【００９５】
本実施形態において、浸透促進剤の含有量は、インク組成物の全質量を基準として、３質量％以下である。浸透促進剤の含有量が３質量％を超えると、界面活性剤の発泡作用等により気泡が混入し易くなり、吐出特性が低下する。吐出特性をさらに確実に担保するという観点からは、浸透促進剤の含有量が０．６質量％以下であることが好ましく、０．５質量％以下であることがさらに好ましい。一方、浸透促進剤の効果を十分に発揮させるためには、浸透促進剤の含有量が０．１質量％以上であることが好ましく、０．３質量％以上であることがより好ましく、０．５質量％以上であることがさらに好ましい。
【００９６】
〔その他の水溶性添加剤〕
本実施形態に係るインク組成物は、上述した各成分に加えて、各種消泡剤、ｐＨ調整剤または防かび剤等の添加剤を含有していてもよい。
【００９７】
消泡剤は、インク組成物の泡立ちを防止するために用いられ、消泡剤の具体例としては、シリコーン系消泡剤、界面活性剤、ポリエーテル、高級アルコールなどの有機系消泡剤などが挙げられる。また、界面活性剤を消泡剤として用いる場合には、ポリグリコール系ノニオン系界面活性剤（市販されているものとしては、例えば、第一工業製薬社製のアンチフロスＦ２３３）が好ましく使われる。
【００９８】
ｐＨ調整剤としては、ナトリウム塩やカリウム塩類や、アミン類などを用いることができる。ナトリウム塩やカリウム塩類としては、例えば、水酸化ナトリウム、水酸化カリウム、水酸化リチウム、炭酸ナトリウム、炭酸水素ナトリウム、炭酸カリウム、炭酸リチウム、リン酸ナトリウム、リン酸カリウム、リン酸リチウム、リン酸二水素カリウム、リン酸水素二カリウム、シュウ酸ナトリウム、シュウ酸カリウム、シュウ酸リチウム、ホウ酸ナトリウム、四ホウ酸ナトリウム、フタル酸水素カリウム等が好ましく使用される。また、アミン類としては、例えば、アンモニア、メチルアミン、エチルアミン、ジエチルアミン、トリス（ヒドロキシメチル）アミノメタン塩酸塩、トリエタノールアミン、モルホリン誘導体、プロパノールアミン等が好ましく使用される。上記のようなｐＨ調整剤は、インク組成物における着色剤の溶解安定性や浸透性に寄与する一方で、サーマルプリントヘッドの発熱体（ヒータ）の劣化に対しても影響を及ぼす。このような観点から、ｐＨ調整剤の含有量は、インク組成物の全質量を基準として、０．１０質量％以上０．５０質量％未満であることが好ましい。ｐＨ調整剤の含有量が０．１０質量％未満であると、十分なｐＨ制御ができない場合がある。また、ｐＨ調整剤の含有量が０．５０質量％以上であると、ヒータの劣化を早めたり、吐出安定性にも不利に働く場合がある。さらに、着色剤の溶解安定性や浸透性を向上させるという目的に加えて、安全性も考慮すると、インク組成物のｐＨを６．０〜９．０の範囲に調整するように、ｐＨ調整剤を添加することが好ましい。
【００９９】
また、本実施形態では、上述した各種のｐＨ調整剤のうち、特に、モルホリン誘導体である３−モルホリノプロパンスルホン酸（ＭＯＰＳ）を使用することが好ましい。ＭＯＰＳを使用することにより、発熱体のコゲーションが起こり難くなり、発熱体の寿命を延ばすことができる。
【０１００】
防かび剤としては、例えば、安息香酸ナトリウム、ソルビタン酸カリウム、ベンゾイミダゾールの他、チアベンダゾール、サイアベンダゾールなど有機窒素硫黄系化合物などを使用できる。
【０１０１】
また、本実施形態に係るインク組成物の構成成分として、モノトリエタノールアミン、ジトリエタノールアミン等のアルコールアミン類や、ジメチルホルムアミド、ジメチルケトンアミド等のアミド類などが適宜使用可能とされる。このようなアルコールアミン類やアミド類などは、主に、ｐＨ調整効果や保湿効果を得るために使用される。
【０１０２】
［１．３．  インク組成物の調製方法］
上述したような本実施形態に係るインクジェット用インク組成物は、以下のようにして調製することができる。まず、上述した着色剤と、保湿剤と、浸透促進剤と、その他の添加剤とを、所定濃度となるように計量し、水性媒体に添加する。このとき、１，５−ペンタンジオール、保湿剤、浸透促進剤の含有量を上述した範囲とする必要がある。
【０１０３】
次に、水性媒体中に着色剤、保湿剤、浸透促進剤等を添加した溶液を十分に攪拌した後、孔径０．４５μｍのＰＴＦＥメンブレン・ディスクフィルターでろ過することにより、本実施形態に係るインクジェット用インク組成物を得ることができる。
【０１０４】
＜２．  本発明の好適な実施形態に係るインクジェット記録方法＞
本発明の好適な実施形態に係るインクジェット記録方法は、インク組成物の液滴をインクジェット方式で吐出して被記録媒体に記録を行う方法である。本実施形態に係るインクジェット記録方法としては、連続噴射型でもオンデマンド型でもよい。連続噴射型とは、制御信号（「ドット形成信号」又は「記録信号」とも称する。）にかかわらずインク滴を記録ヘッドから連続的に噴射し、記録に使用するインク滴のみを被記録媒体に到達させる方式の総称である。オンデマンド型とは、制御信号に応じて記録ヘッドからインク滴を被記録媒体に向けて吐出する方式の総称である。
【０１０５】
また、上記オンデマンド型のインクジェット記録方法としては、インクに力学的エネルギーを作用することによりインク滴を吐出する記録方法や、インクに熱エネルギーを作用することによりインク滴を吐出する記録方法などがある。インクに力学的エネルギーを作用する記録方法としては、例えば、ＰＺＴ（チタン酸ジルコン酸鉛）に代表される圧電体の逆圧電効果を利用してインク滴を吐出させるピエゾインクジェット方式や、帯電させたインクを被記録媒体側に静電気力で吸引する静電吸引方式などがある。特に、本実施形態に係るインクジェット記録方法としては、熱エネルギーを利用するインクジェット記録方法（サーマルインクジェット方式）を好ましく用いることができる。
【０１０６】
［２．１．  使用可能なインク］
本実施形態に係るインクジェット記録方法においては、インク組成物として、上述したような本発明の好適な実施形態に係るインクジェット用インク組成物を使用する。
【０１０７】
［２．２．  使用可能な被記録媒体］
本実施形態に係るインクジェット記録方法において、画像を形成する際に用いる被記録媒体（メディア）としては、インクを付与して記録を行うための被記録媒体であればいずれのものでも用いることができる。本実施形態においては、染料や顔料などの色材をインク受容層の多孔質構造を形成する微粒子に吸着させる、インクジェット用の被記録媒体を用いることが好ましい。特に、支持体上のインク受容層に形成された空隙によりインクを吸収する、いわゆる隙間吸収タイプのインク受容層を有する被記録媒体を用いることが好ましい。隙間吸収タイプのインク受容層は、微粒子を主体として構成されるものであり、さらに必要に応じて、バインダーやその他の添加剤を含有してもよい。
【０１０８】
隙間吸収タイプのインク受容層の主体となる微粒子としては、具体的には、無機顔料や有機顔料を用いることができる。無機顔料としては、例えば、シリカ、クレー、タルク、炭酸カルシウム、カオリン、アルミナ又はアルミナ水和物などの酸化アルミニウム、珪藻土、酸化チタン、ハイドロタルサイト、又は酸化亜鉛などが挙げられる。有機顔料としては、例えば、尿素ホルマリン樹脂、エチレン樹脂、スチレン樹脂などが挙げられる。これらの微粒子は、必要に応じて１種又は２種以上を用いることができる。
【０１０９】
特に、本実施形態に係るインク組成物を用いて画像を形成する際には、平均粒子径が１μｍ以下である微粒子を主体としてインク受容層を形成した被記録媒体を用いることが好ましい。このような微粒子の具体例としては、例えば、コロイダルシリカに代表されるシリカ微粒子、酸化アルミニウム微粒子、アルミナ水和物微粒子（アルミナ系顔料）などが挙げられる。
【０１１０】
上記アルミナ系顔料の中でも、下記式で表される擬ベーマイトなどのアルミナ水和物を特に好適なものとして挙げることができる。
ＡｌＯ３−ｎ（ＯＨ）２ｎ・ｍＨ２Ｏ
（式中、ｎは１〜３の整数であり、ｍは０〜１０、好ましくは０〜５である。ただし、ｍとｎは同時に０とはならない。）
【０１１１】
ｍＨ２Ｏは、多くの場合、ｍＨ２Ｏ結晶格子の形成に関与しない脱離可能な水相をも表すものである。このため、ｍは整数又は整数でない値を取ることができる。また、この種のアルミナ水和物を加熱すると、ｍは０に達することがあり得る。上記のアルミナ水和物は、下記のような公知の方法で製造することができる。例えば、米国特許第４，２４２，２７１号明細書、米国特許第４，２０２，８７０号明細書に記載のアルミニウムアルコキシドの加水分解やアルミン酸ナトリウムの加水分解で製造することができる。また、特公昭５７−４４６０５号公報に記載のアルミン酸ナトリウムなどの水溶液に、硫酸ナトリウムや塩化アルミニウムなどの水溶液を加えて中和を行う方法で製造することができる。
【０１１２】
隙間吸収タイプのインク受容層に含有されるバインダーとしては、水溶性高分子やラテックスなどを使用できる。このような水溶性高分子やラテックス等としては、例えば、ポリビニルアルコール、澱粉、ゼラチン、又はこれらの変性体や、アラビアゴムや、カルボキシメチルセルロース、ヒドロキシエチルセルロース、又はヒドロキシプロピルメチルセルロースなどのセルロース誘導体や、ＳＢＲラテックス、ＮＢＲラテックス、メチルメタクリレート−ブタジエン共重合体ラテックス、官能基変性重合体ラテックス、又はエチレン酢酸ビニル共重合体などのビニル系共重合体ラテックスや、ポリビニルピロリドンや、無水マレイン酸若しくはその共重合体、又はアクリル酸エステル共重合体などが挙げられる。これらのバインダーは、必要に応じて１種又は２種以上を用いることができる。
【０１１３】
隙間吸収タイプのインク受容層に含有されるその他の添加剤としては、例えば、分散剤、増粘剤、ｐＨ調整剤、潤滑剤、流動性変性剤、界面活性剤、消泡剤、離型剤、蛍光増白剤、紫外線吸収剤、酸化防止剤、染料定着剤などを用いることができる。
【０１１４】
本実施形態に係るインクジェット記録方法に用いる被記録媒体は、上述したインク受容層を支持するための支持体を有することが好ましい。支持体は、インク受容層が、上記多孔質の微粒子で形成することが可能であって、且つインクジェット記録装置などの搬送機構によって搬送可能な剛度を与えるものであれば、特に制限はなく、いずれのものも用いることができる。具体的には、支持体として、例えば、天然セルロース繊維を主体としたパルプ原料で構成される紙支持体を用いることができる。また、支持体として、例えば、ポリエステル（例えば、ポリエチレンテレフタラート）、セルローストリアセテート、ポリカーボネート、ポリ塩化ビニル、ポリプロピレン、ポリイミドなどの材料で形成されるプラスチック支持体を用いることができる。さらに、支持体として、基紙の少なくとも一方の面に白色顔料などを添加したポリオレフィン樹脂被覆層を有する樹脂被覆紙（例：ＲＣペーパー）を用いることができる。
【０１１５】
また、本実施形態においては、被記録媒体の表面のｐＨが３．０以上８．０以下であることが好ましい。また、本実施形態に係るインク組成物を使用した場合の効果、すなわち、高画質で堅牢性にも優れた画像を得ることができる等の効果を十分に得るためには、被記録媒体の表面のｐＨが４．０以上６．０以下であることが特に好ましい。
【０１１６】
＜３．  本発明の好適な実施形態に係るインクカートリッジ＞
本発明の好適な実施形態に係るインクカートリッジは、インクを収容するインク収容部を備え、インクとして、上述した本実施形態に係るインクジェット用インク組成物を使用するものである。インク収容部としては、例えば、ブラックインクを収容するためのインク収容部のみが設けられていてもよいし、ブラックインクに加えて、イエロー、マゼンタ及びシアンの各色のインクを収容するためのインク収容部が設けられていてもよい。なお、このインクカートリッジの具体例については後述する。
【０１１７】
＜４．  本発明の好適な実施形態に係る記録ユニット＞
本発明の好適な実施形態に係る記録ユニットは、インクを収容するインク収容部と、当該インク収容部に収容されたインクを吐出するための記録ヘッドと、を備え、インクとして、上述した本実施形態に係るインクジェット用インク組成物を使用するものである。特に、本実施形態に係るインク組成物を用いて記録を行うのに好適な記録ヘッドとしては、制御信号に対応した熱エネルギーをインクに作用することによりインク滴を吐出するサーマルインクジェット方式の記録ユニットを用いることができる。このような記録ユニットの中でも、本実施形態においては、金属と金属酸化物の少なくともいずれか一方を含有する発熱部接液面を有する記録ヘッドを用いることが、特に好ましい。発熱部接液面を構成する金属や金属酸化物としては、例えば、Ｔａ、Ｚｒ、Ｔｉ、Ｎｉ、若しくはＡｌなどの金属、又はこれらの金属の酸化物などが挙げられる。なお、この記録ユニットの具体例については後述する。
【０１１８】
＜５．  本発明の好適な実施形態に係るインクジェット記録装置＞
［５．１．  インクジェット記録装置の概要］
本発明の好適な実施形態に係るインクジェット記録装置は、インクを収容するインク収容部と、当該インク収容部に収容されたインクを吐出するための記録ヘッドと、を備え、インクとして、上述した本実施形態に係るインクジェット用インク組成物を使用するものである。本実施形態に係るインクジェット記録装置は、インク収容部と記録ヘッドを備える記録ユニットの他に、被記録媒体を供給及び排出する機構や、被記録媒体を搬送する機構や、記録ヘッドのメンテナンスを行う機構などを有する。
【０１１９】
特に、本実施形態に係るインク組成物を用いて記録を行うのに好適なインクジェット記録装置としては、制御信号に対応した熱エネルギーをインクに作用することによりインク滴を吐出するサーマルインクジェット方式のインクジェット記録装置を用いることができる。
【０１２０】
［５．２．  インクジェット記録装置の具体例］
ここで、図１〜図４を参照しながら、本実施形態に係るインクジェット記録装置の一例として、被記録媒体の幅方向に沿って複数のノズルが略直線状に配置された記録ヘッド（ラインヘッド）を有するラインタイプのインクジェット記録装置１００を挙げて、本実施形態に係るインクジェット記録装置の具体的な構成を説明する。なお、図１は、本発明の好適な実施形態に係るインクジェット記録装置の全体構成の一例を示す分解斜視図である。図２は、図１のインクジェット記録装置１００に設けられたヘッドカートリッジの構成を示す分解斜視図である。図３は、図２に示したヘッドカートリッジをＩＩＩ−ＩＩＩ線で切断した断面図である。図４は、図３に示したヘッドカートリッジに設けられた記録ヘッドの構成を示す断面図であり、（ａ）は、発熱体上に気泡が発生した状態を模式的に示したものであり、（ｂ）は、ノズルからインク滴が吐出される状態を模式的に示したものである。
【０１２１】
図１に示すインクジェット記録装置１００は、本実施形態に係るインク組成物を、ブラックインク１ｂ、マゼンタインク１ｍ、シアンインク１ｃ、またはイエローインク１ｙとして用いて、カラー画像や文字を記録物として形成する。なお、以下の説明では、ブラックインク１ｂ、マゼンタインク１ｍ、シアンインク１ｃ及びイエローインク１ｙを合わせて、単にインク１という場合もある。
【０１２２】
図１に示すように、インクジェット記録装置１００は、被記録媒体（例えば、記録紙Ｐ）の幅方向、すなわち、図１における矢印Ｗの方向に、インク滴を吐出するノズル略直線状に１列以上並設された、いわゆるラインタイプのインクジェット記録装置である。このインクジェット記録装置１００は、本実施形態に係る記録ユニットの一例としてのインクジェットプリンタヘッドカートリッジ（以下、「ヘッドカートリッジ」と記載する。）１１０と、装置本体１６０とを備える。
【０１２３】
（５．２．１．  ヘッドカートリッジの構成）
ヘッドカートリッジ１１０は、装置本体１６０に対して着脱可能に設けられており、例えば、制御信号に対応した熱エネルギーをインクに作用させるために、発熱体として発熱抵抗体を用いてインク１を吐出し、記録紙Ｐの表面にインク１を着弾させる。このヘッドカートリッジ１１０には、図２及び図３に示すように、インク１が収容されたインクカートリッジ１１１が装着される。
【０１２４】
〔インクカートリッジ〕
インクカートリッジ１１１は、ブラックインク１ｂ、マゼンタインク１ｍ、シアンインク１ｃ、イエローインク１ｙのそれぞれに対応して、４つのインクカートリッジ１１１ｂ、１１１ｍ、１１１ｃ、１１１ｙを備える。すなわち、インクカートリッジ１１１ｂ、１１１ｍ、１１１ｃ、１１１ｙは、それぞれ、ブラックインク１ｂ、マゼンタインク１ｍ、シアンインク１ｃ、イエローインク１ｙとして、本実施形態に係るインク組成物または他のインク組成物を収容するインク収容部を備える。また、インクカートリッジ１１１は、その長手方向が記録紙Ｐの幅方向の寸法とほぼ同じ寸法であり、その水平断面が略矩形状となるように形成されている。さらに、インクカートリッジ１１１は、ヘッドカートリッジ１１０のカートリッジ本体１２１にインク１を供給するためのインク供給部１１２を備えている。
【０１２５】
インク供給部１１２は、インクカートリッジ１１１の底面の略中央部に設けられている。このインク供給部１１２は、インクカートリッジ１１１の底面から突出して形成されたノズルであり、このノズルの先端が後述するヘッドカートリッジ１１０の接続部１２５に嵌合されることにより、インクカートリッジ１１１とヘッドカートリッジ１１０のカートリッジ本体１２１とが接続される。このように、インクカートリッジ１１１とカートリッジ本体１２１とが接続されることにより、インク１をインクカートリッジ１１１からカートリッジ本体１２１へ供給することが可能となる。また、インク供給部１１２には、インクカートリッジ１１１からカートリッジ本体１２１へのインク１の供給量を調整する弁機構（図示せず。）が設けられている。なお、インクカートリッジ１１１は、カートリッジ本体１２１と物理的に一体に形成されていてもよい。
【０１２６】
〔カートリッジ本体〕
ヘッドカートリッジ１１０は、上述したインクカートリッジ１１１の他に、このインクカートリッジ１１０が装着されるカートリッジ本体１２１を備える。カートリッジ本体１２１は、インクカートリッジ１１１が装着される装着部１２２と、インク１の液滴（以下、「インク滴１ｄ」と記載する。）を吐出する記録ヘッド１２３と、記録ヘッド１２３を保護するヘッドキャップ１２４とを有する。
【０１２７】
装着部１２２の長手方向の略中央部には、装着部１２２に装着されたインクカートリッジ１１１のインク供給部１１２と接続される接続部１２５が設けられている。この接続部１２５は、装着部１２２に装着されたインクカートリッジ１１１のインク供給部１１２からカートリッジ本体１２１の底面に設けられたインク滴１ｄを吐出する記録ヘッド１２３にインク１を供給するインク供給路となる。また、接続部１２５には、インクカートリッジ１１１から記録ヘッド１２３へのインク１の供給量を調整する弁機構（図示せず。）が設けられている。
【０１２８】
記録ヘッド１２３は、カートリッジ本体１２１の底面に設けられており、複数のノズル１２７ａ（詳細は後述する。）を有している。これら複数のノズル１２７ａは、接続部１２５から供給されるインク１の液滴を吐出する吐出口であり、記録紙Ｐの幅方向、すなわち、図３における矢印Ｗの方向に略直線状に配置されている。また、このノズル１２７ａは、ブラック、マゼンタ、シアン、イエローの色毎に設けられており、それぞれ、ブラックのノズルライン、マゼンタのノズルライン、シアンのノズルライン、イエローのノズルラインを構成している。そして、各色のノズルラインが、記録紙Ｐの幅方向と略垂直な方向にそって並ぶように配置されている。記録ヘッド１２３は、以上のような構成を有することから、インク滴１ｄを吐出する際に、記録紙Ｐの幅方向に移動することなく、ノズルライン毎にインク滴１ｄを吐出することができる。
【０１２９】
また、図４に示すように、記録ヘッド１２３には、電気熱変換式の発熱抵抗体１２６ａが設けられた回路基板１２６と、複数のノズル１２７ａとが形成されている。また、記録ヘッド１２３には、ニッケルめっき等の金属薄膜で形成されたノズルシート１２７と、回路基板１２６とノズルシート１２７との間に設けられたフィルム１２８とによって、接続部１２５から供給されたインク１を各ノズル１２７ａに供給するインク流路１２９が形成されている。このインク流路１２９は、その長手方向が、ノズル１２７ａが配置されている方向、すなわち、図３における矢印Ｗの方向となるように形成されている。これにより、記録ヘッド１２３では、インクカートリッジ１１１からヘッドカートリッジ１１０の接続部１２５を介してインク１がインク流路１２９に流れ込み、インク流路１２９から各ノズル１２７ａにインク１が供給されるようになる。また、記録ヘッド１２３には、回路基板１２６と、ノズルシート１２７と、フィルム１２８とによって囲まれ、発熱抵抗体１２６ａがインク１を加圧するインク液室１３０が形成されている。
【０１３０】
以上のような構成を有する記録ヘッド１２３では、印刷データに基づいて生成された制御信号が回路基板１２６に伝送され、この制御信号に基づいて選択された発熱抵抗体１２６ａに対して、所定時間（例えば、１〜３μ秒程度）パルス電流が供給される。パルス電流が供給された記録ヘッド１２３では、発熱抵抗体１２６ａが駆動し、急速に加熱される。このとき、記録ヘッド１２３では、発熱抵抗体１２６ａが加熱されると、図４（ａ）に示すように、発熱抵抗体１２６ａと接するインク１に気泡Ｂが発生する。次に、記録ヘッド１２３では、図４（ｂ）に示すように、気泡Ｂが膨張しながらインク１を加圧し、この気泡Ｂにより押し退けられたインク１が液滴の状態となってノズル１２７ａから吐出される。また、記録ヘッド１２３では、インク滴１ｄを吐出した後、インクカートリッジ１１１から接続部１２５を介してインク流路１２９を経てインク１をインク液室１３０に供給することによって、再び吐出前の状態に戻る。記録ヘッド１２３では、制御信号に基づいて、上述した動作を繰り返し、記録紙Ｐ上にインク滴１ｄを吐出して画像を形成する。
【０１３１】
本実施形態では、ヘッドカートリッジ１１０は、記録ヘッド１２３のインク吐出面１２３ａを保護するためのヘッドキャップ１２４を有している。このヘッドキャップ１２４は、図２に示すように、記録ヘッド１２３がインク滴１ｄを吐出せず、記録動作を行っていない間、記録ヘッド１２３の吐出面１２３ａを閉塞し、ノズル１２７ａを乾燥等から保護するものである。記録動作を行う際には、ヘッドキャップ１２４は、図２に示すように、ヘッドカートリッジ１１０の底面から装置本体１６０の前面側に移動し、吐出面１２３ａを外部に露出させて開放する。また、ヘッドキャップ１２４には、吐出面１２３ａに付着している余分なインク１を取り去るためのクリーニングローラ１２４ａが設けられている。ヘッドキャップ１２４は、吐出面１２３ａを開放する際に、クリーニングローラ１２４ａにより吐出面１２３ａをクリーニングする。
【０１３２】
（５．２．２．  装置本体の構成）
装置本体１６０は、図１に示すように、ヘッドカートリッジ装着部１６１と、給紙トレイ１６２と、排紙トレイ１６３と、給排紙機構（図示せず。）と、ヘッドキャップ開閉機構（図示せず。）とを有する。ヘッドカートリッジ装着部１６１は、装置本体１６０の上面側に設けられ、ヘッドカートリッジ１１０が装着される。給紙トレイ１６２は、装置本体１６０の前面下側に設けられ、画像等の記録前の記録紙Ｐが積層して収納される。排紙トレイ１６３は、装置本体１６０の前面上側に設けられ、画像等の記録後の記録紙Ｐが収納される。また、給排紙機構は、装置本体１６０内で記録紙Ｐを搬送する機構であり、ヘッドキャップ開閉機構は、ヘッドキャップ１２４を開閉する、すなわち、記録ヘッド１２３の吐出面１２３ａを開放又は閉塞させるようにヘッドキャップ１２４を移動させる機構である。
【０１３３】
（５．２．３．  インクジェット記録装置の動作）
以上のような構成を有するインクジェット記録装置１００は、外部に設けられた情報処理装置から入力された印刷データに基づき、給排紙機構、ヘッドキャップ開閉機構及び記録ヘッド１２３の動作を制御するための制御信号を生成する。この制御信号は、給排紙機構、ヘッドキャップ開閉機構及び記録ヘッド１２３への電流の供給を制御する制御回路に設けられた制御部により生成される。そして、制御信号により制御された電流が給排紙機構、ヘッドキャップ開閉機構及び記録ヘッド１２３へ供給されることにより、記録紙Ｐの給排紙、ヘッドキャップ１２４の開閉、記録ヘッド１２３によるインク滴１ｄの吐出などの動作が行われる。
【０１３４】
より具体的には、インクジェット記録装置１００では、まず、装置本体１６０に設けられた操作ボタン１６０ａの操作により、制御部に印刷開始の命令がされると、制御部から伝送された制御信号により、給排紙機構及びヘッドキャップ開閉機構が駆動して、印刷が可能な状態となる。すなわち、ヘッドキャップ開閉機構が、ヘッドカートリッジ１１０に対して、給紙トレイ１６２及び排紙トレイ１６３が設けられている側である装置本体１６０の前面側に、ヘッドキャップ１２４を移動させる。これにより、記録ヘッド１２３の吐出面１２３ａに設けられたノズル１２７ａが外部に露出した開放状態となり、記録ヘッド１２３は、インク１を吐出できるようになる。
【０１３５】
次に、給排紙機構が、給紙トレイ１６２から記録紙Ｐを１枚だけ引き出し、記録ヘッド１２３の吐出面１２３ａと対向する位置に記録紙Ｐを搬送する。これにより、記録紙Ｐは、吐出面１２３ａと対向した状態となる。
【０１３６】
次に、インクジェット記録装置１００は、記録ヘッド１２３に設けられた複数の発熱抵抗体１２６ａのうち、印刷データに基づく制御信号によって選択された発熱抵抗体１２６ａに駆動電流を供給し、選択された発熱抵抗体１２６ａを加熱する。インクジェット記録装置１００は、発熱抵抗体１２６ａを加熱することによって、図４に示すように、吐出面１２３ａと対向する位置に搬送された記録紙Ｐに対して、加熱された発熱抵抗体１２６ａに対応するノズル１２７ａによりインク滴１ｄを吐出し、画像や文字等を記録する。
【０１３７】
次に、給排紙機構は、画像や文字等の記録が終了した記録紙Ｐを排紙トレイ１６３に送り出し、排紙トレイ１６３に記録後の記録紙Ｐを排紙する。このようにして、インクジェット記録装置１００では、記録紙Ｐに画像や文字等の記録を行う。記録後には、ヘッドキャップ開閉機構が、装置本体１６０の前面側に待機しているヘッドキャップ１２４を、ヘッドカートリッジ１１０の底面に移動させ、記録ヘッド１２３の吐出面１２３ａを閉塞して保護する。なお、この際に、クリーニングローラ１２４ａで吐出面１２３ａをクリーニングするようにしてもよい。
【０１３８】
＜６．  まとめ＞
以上説明したように、本実施形態に係るインク組成物は、水溶性有機溶剤として、１，５−ペンタンジオールを５質量％以上３０質量％以下含有することにより、着色剤の溶解性に優れている。特に、着色剤として、一般式（Ｖ）で表される銅フタロシアニン化合物を使用した場合には、他の有機溶剤を使用した場合と比較して、着色剤の溶解性に非常に優れている。また、本実施形態に係るインク組成物では、着色剤が非常に良く溶解するので、着色剤の固化を常温（〜６０℃程度）・常湿（〜４０％程度）で防ぐことができる。さらには、このように着色剤の固化を常温・常湿で防げることや、使用する浸透促進剤（界面活性剤）量を３質量％以下とすることにより、インク組成物中に気泡が発生することが防止することができる。従って、本実施形態に係るインク組成物をインクジェット記録方式に使用した場合でも、ノズルの詰まりを防ぐことができる。
【０１３９】
また、本実施形態に係るインク組成物は、保湿剤を１．５−ペンタンジオールや浸透促進剤と併せて含有しているため、吐出安定性（間欠復帰性）が良くなり、さらには、インク組成物に吸湿させた場合のインク吐出の回復（復帰）が早くなる。これにより、本実施形態に係るインク組成物を用いて印画した印画物のドット抜けを防ぐことができるようになり、また、空吐出とよばれる回復処理の回数を大幅に減らすことができるようになる。このため、メンテナンスに要する時間を短縮することができるので、本実施形態に係るインク組成物を用いれば、長時間の連続印画が可能となる。さらに、このように連続印画が可能となることにより、印画速度が飛躍的に向上し、印画のさらなる高速化を実現することができる。
【実施例】
【０１４０】
以下、実施例を用いて本発明をさらに具体的に説明するが、本発明は、以下の実施例に限定されるものではない。
【０１４１】
＜着色剤の合成または準備＞
［アゾ化合物（例示化合物１）の合成］
一般式（Ｉ）で表されるアゾ化合物として、例示化合物１を製造した。例示化合物１は、上記特許文献１（特開２００６−１４３９８９号公報）の実施例１に記載の方法に準じて合成した。以下に、例示化合物１の合成方法を記載する。
【０１４２】
（１）化合物１−１の合成
５−アミノ−３−ｔｅｒｔ−ブチル−４−シアノピラゾール（下記化合物Ａ）２４．１ｇを、濃塩酸４５ｍｌ、酢酸３０ｍｌ、及びプロピオン酸４５ｍｌの混合溶媒に添加し、内温０℃で攪拌した。さらに、攪拌後の溶液に、水２０ｍｌに溶解させた亜硝酸ナトリウム１０．１ｇを１０分間で滴下後、そのまま３０分間攪拌した。
【０１４３】
次に、カプラー成分（下記化合物Ｂ）８４．７ｇをメタンスルホン酸２３１ｍｌ、酢酸１４７ｍｌ、及びプロピオン酸２２１ｍｌの混合溶媒に溶解させ、０℃で攪拌し、攪拌後の溶媒に、上記化合物Ａの反応溶液（ジアゾニウム塩）を３０分間で加えた。ジアゾニウム塩の添加後、さらに反応液を３０分攪拌させた後、水２２５０ｍｌに氷７５０ｇを添加し攪拌したところへ、上記反応液を徐々に加え、析出した化合物を吸引濾過することにより単離して、化合物１−１を得た。
【０１４４】
【化２１】
2012126830.tif 000023
【０１４５】
（２）化合物（化合物１−２）の合成
上記化合物１−１を２１ｇ容器に移し、さらに、当該容器に、ヘテリル化剤（下記化合物Ｃ）２６．６ｇ、炭酸カリウム２１．７ｇ、及びＤＭＳＯ（ジメチルスルホキシド）１４７ｍｌを加え、窒素バブリングさせながら内温９２℃で４時間加熱攪拌させた。攪拌終了後、内容液を室温まで冷却し、反応系から析出した化合物を吸引濾過にて単離した。さらに、この粗結晶を水３Ｌ中に分散させ、過剰の炭酸カリウムを溶解させ、吸引ろ過して目的の化合物（下記化合物１−２）を得た。
【０１４６】
【化２２】
2012126830.tif 000024
【０１４７】
（３）例示化合物１の合成
３０質量％発煙硫酸３３ｍｌを１０℃に冷却し、化合物１−２を４．７ｇ、内温２５℃以下で分割添加した。内温３０℃で２．５時間反応させた後、内温を０℃に冷却し、水２４ｍｌ、次いで２８％アンモニア水４２ｍｌを滴下した。イソプロパノール／ｎ−ブタノール（２１：５）２６ｍｌで染料を抽出した後、２５質量％水酸化ナトリウム水溶液でｐＨを９に調整し、そこへエタノール２０ｍｌを滴下した。析出した無機塩をろ過により除き、メタノール１０ｍｌ、酢酸ナトリウム６．０ｇ、及び酢酸カリウム２．４ｇを加え、内温を６５℃まで上昇させた後、エタノール８０ｍｌを滴下した。さらに、反応溶液を室温まで冷却し、析出した結晶を濾取した。得られた結晶を水３６ｍｌに溶解させ、この溶液を、ナトリウム型強酸性陽イオン交換樹脂５０ｍｌ（オルガノ（株）社製：商品名アンバーライトＩＲ−１２０Ｂをナトリウム型に変換したもの）を円筒形のカラムに充填した充填塔の中を２５℃、約ＳＶ４の流速で通液した。通液した水溶液を、希水酸化リチウム水溶液を用いてｐＨ７に調整した後に、平均孔径０．２２μｍのメンブランフィルターを用いてろ過を行った。ろ液を減圧濃縮乾固した後、７０℃で１晩乾燥させ、例示化合物１を得た。
【０１４８】
［アントラピリドン化合物（例示化合物５）の合成］
一般式（ＩＩＩ）で表されるアントラピリドン化合物として、例示化合物５を製造した。例示化合物５は、特許文献２（特開平１０−３０６２２１号公報）の実施例２に記載の方法に準じて合成した。以下に、例示化合物５の合成方法を記載する。
【０１４９】
（１）化合物５−１の合成
１−メチルアミノ−４−（３−メチル−アニリノ）アントラキノン（下記化合物Ｄ）２５．７ｇ、炭酸ナトリウム０．７５ｇ、マロン酸ジエチルエステル３０．０ｇ及びオルソジクロロベンゼン４５ｇを反応器に仕込み、１７５〜１８０℃で５時間反応させた。反応は生成するエタノール及び水を反応系から追い出しながら行った。反応の完了をＨＰＬＣ（高速液体クロマトグラフィ）にて確認後、水冷し、メタノール１７０ｍｌを加え、更に氷冷攪拌を１時間行い、析出した結晶を濾過した。次いで、得られた結晶をメタノール２２５ｍｌで洗浄し、８０℃の純水１８０ｍｌで洗浄後、乾燥させ、下記化合物５−１を紫赤色の結晶として得た。
【０１５０】
【化２３】
2012126830.tif 000025
【０１５１】
（２）例示化合物５の合成
９６質量％硫酸３１．０ｇを反応器に仕込み、氷冷下３０質量％発煙硫酸３３．４ｇを加えて７質量％の発煙硫酸を調製した。この発煙硫酸に、氷冷下２０℃以下で化合物５−１を８．８ｍｌ加え、２０〜２５℃の温度で３時間スルホン化反応を行った。０℃の純水４００ｍｌ中に、上記の反応液を加えて攪拌下、塩化ナトリウム６０ｇを添加して塩析を行った。さらに２時間攪拌した後、平均孔径０．２２μｍのメンブランフィルターを用いてろ過を行った。ろ液を減圧濃縮乾固した後、７０℃で１晩乾燥させ、例示化合物５を得た。
【０１５２】
［銅フタロシアニン化合物の準備］
本実施例では、シアン系着色剤である銅フタロシアニン化合物として、Ｃ．Ｉ．ダイレクトブルー８６とＣ．Ｉ．ダイレクトブルー８７とを混合したものを使用した。
【０１５３】
＜インクの調製＞
全てのインク組成物には、マゼンタインクとして、上記で得られた例示化合物１または例示化合物１と例示化合物５の混合物、シアンインクとして、Ｃ．Ｉ．ダイレクトブルー８６とＣ．Ｉ．ダイレクトブルー８７の混合物を用いた。
【０１５４】
実施例としてのインク組成物は、各成分が表１−１〜１−３の上段に記載した含有比率（質量％）となるように、比較例としてのインク組成物は、各成分が表２−１〜２−８の上段に記載した含有比率（質量％）となるように、下記に示す実施例１の調製法に準じて調製した。
【０１５５】
［実施例１のインク組成物の調製］
インク組成物全量に対して、一般式（Ｉ）で表されるアゾ化合物として例示化合物１の濃度が４．０質量％、１，５−ペンタンジオールの濃度が５．０質量％、１，２−ヘキサンジオールの濃度が３．０質量％、保湿剤としてトリメチロールプロパンが３．０質量％、浸透促進剤として日信化学工業株式会社製のアセチレングリコール系界面活性剤であるオルフィンＥ１０１０が０．５質量％となるように計量し、イオン交換水にこれらを添加して混合した。
【０１５６】
上記の溶液を十分に撹拌後、孔径０．４５μｍのフィルターにて濾過して、実施例１のインク組成物を得た。なお、攪拌からインク組成物を得るまでの操作は、全実施例及び比較例で全く同様である。
【０１５７】
＜インク組成物の評価方法＞
上記で得られた各インク組成物の微小液滴の状態を観察した。また、各インク組成物をそれぞれ、ラインヘッドを有するソニー製サーマルインクジェットプリンター（ＬＰＲ−Ｅ５０００）に搭載し、各インク組成物の吐出安定性及び湿気応答性を評価した。以下に、インク組成物の評価方法の詳細を記載する。
【０１５８】
［微小液滴の状態］
上記のようにして得られた各インク組成物を、スライドグラス上に０．２μＬ程度の微小液滴として、１列に２０滴程度並べ、常温常湿下にて１日放置後、キーエンス社製のマイクロスコープにて液滴の状態を観察した。その結果、１日放置後でも液状であるものを○、液状ではあるものの一部固化が進んでいるものを△、完全に固化しているものを×と評価した。評価結果を表１−１〜１−３、２−１〜２−８にそれぞれ示した。
【０１５９】
［吐出安定性］
上記のようにして得られた各インク組成物をそれぞれ、ラインヘッドを有するソニー製サーマルインクジェットプリンター（ＬＰＲ−Ｅ５０００）に搭載した。記録密度を６００ｄｐｉ×６００ｄｐｉとし、温度１０℃、湿度１５％ＲＨの環境で、所定のノズルからインクを吐出させた。その後、一定時間前記所定のノズルを使用せず、再度前記所定のノズルからインクを吐出させ、被記録媒体として、三菱製紙製のインクジェット光沢紙（ＩＪ−ＲＣ−ＵＦ１７０）に記録を行った。この際、一旦インクの吐出を停止して放置した後に再度吐出をすることが可能であった最大の時間（以下、「再吐出時間」と記載する。）［分：秒］を測定した。その結果を表１−１〜１−３、２−１〜２−８にそれぞれ示した。
【０１６０】
［湿気応答性］
上記のようにして得られた各インク組成物をそれぞれ、ラインヘッドを有するソニー製サーマルインクジェットプリンター（ＬＰＲ−Ｅ５０００）に搭載した。記録密度を６００ｄｐｉ×６００ｄｐｉとし、温度１０℃、湿度１５％ＲＨの環境で、所定のノズルからインクを吐出させた。インクの吐出後、ノズル面を１６時間、常温常湿で開放したまま放置した後に、ノズル面の２ｍｍ下に純水を含んだ特殊なスポンジを設置し、再びインクの吐出が可能になるまでの時間、すなわち、インク組成物に湿度を与えてから復帰するまでの時間（以下、「復帰時間」と記載する。）［分：秒］を測定した。その結果を表１−１〜１−３、２−１〜２−８にそれぞれ示した。
【０１６１】
【表１】
2012126830.tif 000026
【０１６２】
【表２】
2012126830.tif 000027
【０１６３】
【表３】
2012126830.tif 000028
【０１６４】
【表４】
2012126830.tif 000029
【０１６５】
【表５】
2012126830.tif 000030
【０１６６】
【表６】
2012126830.tif 000031
【０１６７】
【表７】
2012126830.tif 000032
【０１６８】
【表８】
2012126830.tif 000033
【０１６９】
【表９】
2012126830.tif 000034
【０１７０】
【表１０】
2012126830.tif 000035
【０１７１】
【表１１】
2012126830.tif 000036
【０１７２】
以上のことから、本発明における着色剤と、所定の含有量の１，５−ペンタンジオール、保湿剤及び浸透促進剤との組み合わせによって、印画速度において重要なメンテナンス回数を飛躍的に減らすことができ、連続印画が可能なインクジェット用インク組成物を得ることができた。
【０１７３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１７４】
例えば、上記実施形態では、インクジェット記録装置の構成に関し、ラインタイプのインクジェット記録装置を例に挙げて説明したが、本発明はかかる例に限定されない。例えば、本発明に係るインクジェット記録装置は、記録ヘッドが被記録媒体の搬送方向とは直交した方向に往復移動しながら記録するシリアルタイプのインクジェット記録装置であってもよい。
【符号の説明】
【０１７５】
１    インク（インク組成物）
１ｄ    インク滴
１００    インクジェット記録装置
１１０    ヘッドカートリッジ
１１１    インクカートリッジ
１１２    インク供給部
１２１    カートリッジ本体
１２２    装着部
１２３    記録ヘッド
１２３ａ    インク吐出面
１２４    ヘッドキャップ
１２４ａ    クリーニングローラ
１２５    接続部
１２６    回路基板
１２６ａ    発熱抵抗体
１２７    ノズルシート
１２７ａ    ノズル
１２８    フィルム
１２９    インク流路
１３０    インク液室
１６０    装置本体
１６１    ヘッドカートリッジ装着部
１６２    給紙トレイ
１６３    排紙トレイ
Ｐ    記録紙
【図１】
2012126830.tif 000042
【図２】
2012126830.tif 000043
【図３】
2012126830.tif 000044
【図４】
2012126830.tif 000045